(57)【要約】【目的】使用する周囲の状況に応じ、単色でのメッセージ表示を優先したりカラーでのアイコン表示を優先したりすることが可能な表示装置を提供する。【構成】単色の発光素子をマトリクス状に配列し単一の発光色で表示を行う単色表示部と、異なる色の発光素子をマトリクスマトリクス状に配列し複数の発光色で表示を行う多色表示部とを連続的に配置して１つの表示画面を構成し、これら両表示部を第１の発光駆動手段と第２の発光駆動手段とで発光駆動する。第１の発光駆動手段は、単色表示部の発光素子と、多色表示部に配列した複数種類の発光素子のうち単色表示部と同じ色の発光素子とを発光駆動し、第２の発光駆動手段は、多色表示部の発光素子を第１の発光駆動手段と独立して発光駆動する。【選択図】　図２
2004133164.tif 000002
【特許請求の範囲】
【請求項１】
マトリクス状に複数配列した発光素子を選択的に発光することで文字や絵記号等を発光表示する表示装置において、
同発光色の発光素子を配列してなり単一の発光色で表示を行う単色表示部と、異なる発光色の発光素子を複数種類配列してなり、前記単色表示部の発光色を含む複数の発光色で表示を行う多色表示部と、
前記単色表示部に配列する発光素子と、前記多色表示部に配列する発光素子のうちの前記単色表示部と同発光色の発光素子とを発光駆動する第１の発光駆動手段と、
前記多色表示部に配列する発光素子を前記第１の発光駆動手段と独立して発光駆動する第２の発光駆動手段とを備え、
単色表示部と多色表示部とを連続的に配置して１つの表示画面を形成し、第１の発光駆動手段による発光駆動動作と第２の発光駆動手段による発光駆動動作とを切り替え可能にしたことを特徴とする表示装置。
【請求項２】
請求項１記載の表示装置において、第１の発光駆動手段のみによる発光駆動動作では単色表示部と多色表示部とで形成する表示画面全体にわたって単色で発光表示を行い、第１の発光駆動手段と第２の発光駆動手段とによる発光駆動動作では、単色表示部を単色で表示し多色表示部を複数の発光色で表示することを特徴とする表示装置。
【請求項３】
請求項１または２何れか記載の表示装置において、単色表示部に配列する発光素子の配列密度と、多色表示部に配列する発光素子のうちの単色表示部と同色の発光素子の配列密度とが等しく、多色表示部のみに配列される発光色の発光素子が低い配列密度であることを特徴とする表示装置。
【請求項４】
請求項１乃至３何れか記載の表示装置において、単色表示部に配列する発光素子が橙色または赤色で、多色表示部に配列する発光素子が橙色または赤色と緑色と青色であることを特徴とする表示装置。
【請求項５】
請求項４記載の表示装置において、多色表示部に配列する橙色発光素子または赤色発光素子と緑色発光素子と青色発光素子とで単位ドットを構成し、この単位ドットをマトリクス状に複数配列することを特徴とする表示装置。
【発明の詳細な説明】
【０００１】
【産業上の利用分野】
本発明は、複数の発光素子をプリント基板上に配し、発光素子を選択的に発光させることで所定の文字、図形、記号、模様等を表示する装置に関する。
【０００２】
【従来の技術】
従来、ＬＥＤ等の発光素子をプリント基板上にマトリクス配置し、発光素子を選択的に発光駆動することで任意の文字・記号等（以降キャラクタと呼ぶ）からなる表示コンテンツを流動的に発光表示する装置が知られている。このような表示装置に先ず求められるのは注目効果であり、そのため、文字等を表示するマトリクス表示部の周囲に各種点滅発光を行う装飾発光部を設け、通行人の注意を引くようにした装置が現在の主流になっている。また、注目効果に加えて宣伝効果を高めるために特開２０００−１３２１２０号公報に開示されているように、ＬＥＤをマトリクス状に配列して任意のキャラクタを表示する表示部と、所定の図柄や文字を描くようにＬＥＤを配置した表示部とで構成した装置も提案されている。マトリクス表示部に集客メッセージや営業内容を流動表示する方式では、瞬間的に見た通行人には断片的なメッセージしか伝えることができず、何を営業しているのかという最も重要な点が宣伝できない場合がある。この問題に対処するために、流動表示を行うエリアとは別に営業内容等を図柄で固定表示するエリアを設けたものである。
【０００３】
【発明が解決しようとする課題】
確かに上記提案によれば、車により短時間で通過する通行人にも営業内容を見過ごされるようなことがなくなる。しかし一方で、営業内容を常時固定表示するエリアを確保した分、任意のメッセージを流動表示するエリアが狭まる結果となり、店舗の立地状況や時間帯、あるいは表示内容によっては流動表示だけを行いたい場合があったとしても、装置全体の大きさに対して狭い範囲で流動表示を行うしかなかった。
【０００４】
本発明はこのような問題に対処しなされたもので、その課題とするところは、優れた注目効果と宣伝効果を備えながら、状況に応じて集客メッセージ等の流動表示を優先したり、あるいは、営業内容等を一目で直感的にイメージさせるシンボルマークや図柄等を静的または動的に表示するアイコン表示を組み合わせながらの表示も可能な装置を提供する点にある。
【０００５】
【課題を解決するための手段】
このような課題を解決するために、本発明は、マトリクス状に複数配列した発光素子を選択的に発光することで文字や絵記号等を発光表示する表示装置において、同発光色の発光素子を配列してなり単一の発光色で表示を行う単色表示部と、異なる発光色の発光素子を複数種類配列してなり、前記単色表示部の発光色を含む複数の発光色で表示を行う多色表示部と、前記単色表示部に配列する発光素子と、前記多色表示部に配列する発光素子のうちの前記単色表示部と同発光色の発光素子とを発光駆動する第１の発光駆動手段と、前記多色表示部に配列する発光素子を前記第１の発光駆動手段と独立して発光駆動する第２の発光駆動手段とを備え、単色表示部と多色表示部とを連続的に配置して１つの表示画面を形成し、第１の発光駆動手段による発光駆動動作と第２の発光駆動手段による発光駆動動作とを切り替え可能にしたことを特徴とする表示装置を提案する。
【０００６】
また、上記提案の装置は、第１の発光駆動手段のみによる発光駆動動作では単色表示部と多色表示部とで形成する表示画面全体にわたって単色で発光表示を行い、第１の発光駆動手段と第２の発光駆動手段とによる発光駆動動作では、単色表示部を単色で表示し多色表示部を複数の発光色で表示することが望ましく、さらに、単色表示部に配列する発光素子の配列密度と、多色表示部に配列する発光素子のうちの単色表示部と同色の発光素子の配列密度とが等しく、多色表示部のみに配列される発光色の発光素子が低い配列密度であることが望ましい。
【０００７】
また、単色表示部に配列する発光素子が橙色または赤色で、多色表示部に配列する発光素子が橙色または赤色と緑色と青色とし、多色表示部の橙色発光素子または赤色発光素子と緑色発光素子と青色発光素子とで単位ドットを構成し、この単位ドットをマトリクス状に複数配列すればより望ましい。
【０００８】
【作用】
上記提案によれば、発光素子をマトリクス状に配列し単一の発光色で表示を行う単色表示部と、異なる色の発光素子をマトリクス状に配列し複数の発光色で表示を行う多色表示部とを連続的に配置して１つの表示画面を構成し、これら両表示部を第１の発光駆動手段と第２の発光駆動手段とで発光駆動する。第１の発光駆動手段は、単色表示部の発光素子と、多色表示部に配列した複数種類の発光素子のうち単色表示部と同じ色の発光素子とを発光駆動するので、同駆動手段のみ動作すると表示画面全体にキャラクタが単色で表示される。第２の発光駆動手段は、多色表示部の発光素子を第１の発光駆動手段と独立して発光駆動するので、第１の発光駆動手段と第２の発光駆動手段との両方が動作すれば、表示画面の一部が複数の発光色で表示され、残りの部分にキャラクタが単色で表示される。
【０００９】
また、単色表示部にマトリクス配列する発光素子の配列密度と、多色表示部にマトリクス配列する発光素子のうちの単色表示部と同色の発光素子の配列密度とを等しくするので、単色表示を行うためのマトリクスが均一に表示画面全体に形成される。多色表示部のみに配列される色の発光素子は低い配列密度で配列されるため、単色表示を行うマトリクス上にそれよりも粗い多色表示を行うマトリクスが重なり合って配置される。
【００１０】
また、単色表示部に配列する発光素子が橙色または赤色で、多色発光部では更にそこへ緑色と青色を加え、橙または赤、緑、青で単位ドットを構成し、この単位ドットをマトリクス状に配列する。これにより橙色または赤色の単色表示マトリクスと、そのマトリクスと重なる多色表示マトリクスが形成される。
【００１１】
【実施例】
以下、図面を基に、本発明の実施例について説明する。図１は本発明実施例に関わる表示装置の構成を示すブロック図である。１は表示部で、プリント基板上に橙色ＬＥＤ、緑色ＬＥＤ、青色ＬＥＤをそれぞれマトリクス状に配列した多色表示部２ａと、橙色ＬＥＤだけをマトリクス状に配列した単色表示部２ｂを複数並べて構成している。本実施例では、１枚の多色表示部と３枚の単色表示部とを縦方向に連続的に並べて表示画面を構成し、全角サイズの文字を同時に最大で４文字表示可能にしている。３は第１の発光駆動手段たる単色駆動回路で、シフトレジスタ回路およびトランジスタアレイ回路等からなり、後述するＣＰＵより表示制御データを受けて多色表示部２ａと単色表示部２ｂとに配列された橙色ＬＥＤをダイナミック点灯駆動し、マトリクス上にキャラクタ・画像・アニメーションを橙色単色で発光表示する。４は第２の発光駆動手段たるアイコン駆動回路で、ＣＰＵからの制御データを受けて多色表示部２ａに配列された橙色ＬＥＤ、緑色ＬＥＤ、青色ＬＥＤをダイナミック点灯駆動し、マトリクス上にアイコン・アニメーション動作を伴うアイコン・キャラクタ等をカラー発光表示する。５はＣＰＵで、記憶部６で記憶するプログラムやデータに従い表示処理手順をこなす。７はＶＲＡＭで、記憶部６から読み出した各種データのうちの表示コンテンツデータとアイコンデータとを記憶領域にビット情報として展開し、単色駆動回路３、アイコン駆動回路４にＬＥＤ駆動信号を出力する。表示コンテンツデータとは文字通り表示画面に表示する内容を表すデータであり、メッセージや静止画、アニメーション等を表現するキャラクタデータの並びやビットマップ形式のドットパターンデータである。８はリアルタイムクロックＩＣで、ＣＰＵから任意のタイミングで要求を受け、要求を受けた時点の時刻と年・日付・曜日を出力する。
【００１２】
記憶部６は複数のメモリから構成されており、具体的には、表示装置全体の動きに関する動作プログラムが記憶されたＲＯＭ６ａと、コードに置きかえられたキャラクタがドットパターンで記憶されるフォントＲＯＭ６ｂと、表示コンテンツが複数記憶される表示コンテンツデータ記憶部６ｃと、多色表示部２ａに表示するアイコンがドットパターンで記憶されるアイコンデータ記憶部６ｄと、表示コンテンツの表示タイミングを与える表示スケジュールデータと表示装置に関する各種データを記憶するデータ記憶部６ｅとからなっている。
【００１３】
表示コンテンツデータ記憶部６ｃに記憶される各表示コンテンツは、キャラクタデータの配列やドットパターンデータで構成されており、一括りで扱うデータごとに識別コードが付与され、この識別コードと対応付けて記憶される。例えば、表示画面に「いらっしゃいませ」と流動表示したのちにお辞儀の仕草をアニメーションで表示する組み合わせを常にセットで表示する場合、「いらっしゃいませ」と「お辞儀アニメーション」との組み合わせを１つのコンテンツとして識別コード（チャンネル番号）００１を与えるのである。また識別コードの他にも、コンテンツをどのような動作で表示するのかを決める表示モード情報と、コンテンツを表示する際の多色表示部におけるアイコン表示の有無とアイコンの種類を指定するアイコンデータ情報とが付与される。
【００１４】
アイコンデータ記憶部６ｄには複数種類のアイコンデータを記憶させることが可能で、さらに１種類のアイコンデータは複数枚の静止画から成っている。具体的には、最大５００種類のアイコンデータを記憶させることができ、１種類のアイコンデータには多色表示部２ａのドットマトリクスに相当するドットパターンを最大１０枚登録させることができる。１０枚のドットパターンは１枚毎に静止時間を設定可能で、適宜静止時間で異なるパターンを次々と切り替え表示することによりアニメーション表示が行われ、１つのパターンを連続表示させると静止したアイコンとして表示される。なお、アイコンデータも表示コンテンツ同様識別コードが付与されるものであり、最大１０枚登録可能な一括りのドットパターンごとにアイコン識別コードが与えられ、アイコンデータはこのアイコン識別コードによって管理される。前述の表示コンテンツに付与されるアイコンデータ情報もこのアイコン識別コードの有無であり、識別コードが含まれている場合はアイコン表示を行うことを意味し、表示コンテンツを実際に表示処理する際にアイコンデータ記憶部より識別コードに対応するドットパターンを展開するのである。
【００１５】
次に図２を基に表示画面の構成についてさらに詳しく説明する。表示画面の一段目に位置する多色表示部２ａには、橙色ＬＥＤ２ａ−１が縦１６個×横１６個マトリクス状に配列されており、同時に、この橙色ＬＥＤによる１６×１６ドットのマトリクスは、橙色ＬＥＤ・緑色ＬＥＤ（２ａ−２）・青色ＬＥＤ（２ａ−３）が集合してなる単位ドットによる８×８ドットのマトリクスを兼ねるように配列されている。すなわち、「橙色ＬＥＤ・緑色ＬＥＤ・青色ＬＥＤで構成される単位ドット」と「橙色ＬＥＤのみによる単位ドット」とを交互に配置することにより、橙色ＬＥＤによる１６×１６ドットのマトリクス中に橙色ＬＥＤ・緑色ＬＥＤ・青色ＬＥＤの集合からなる単位ドットが８×８ドットのマトリクスで形成されるようにしているのである。前記アイコン駆動回路４は、この橙色ＬＥＤ・緑色ＬＥＤ・青色ＬＥＤによる８×８ドットのマトリクスを発光駆動するものであり、表示コンテンツデータに付与されているアイコンデータ情報に応じてアイコンデータ記憶部６ｄからドットパターンを読み出し、８×８＝６４個の単位ドットをダイナミック発光駆動する。なお、アイコン駆動回路は橙色ＬＥＤ・緑色ＬＥＤ・青色ＬＥＤを２階調で発光駆動しており、３色のＬＥＤによる点灯／消灯の組み合わせでカラー表現を行っている。したがって、本実施例では最大８色の表示が可能である。
【００１６】
表示部の２〜４段目を構成する単色表示部２ｂには、橙色ＬＥＤ２ｂ−１が各段それぞれ縦横１６×１６ドットでマトリクス状に配列され、単色駆動回路３に接続されている。この単色駆動回路３は、多色表示部２ａの橙色ＬＥＤ２ａ−１によるマトリクスにも接続されており、表示部全体を単色で表示する場合に一段目の多色表示部から４段目の単色表示部に配列された橙色ＬＥＤを縦６４×横１６ドットのマトリクスとして発光駆動する。この状態は、「アイコン表示無し」のアイコンデータ情報が付与された表示コンテンツを表示する状態であり、このとき表示画面には全角サイズの文字が同時に４文字表示可能となる。「アイコン表示有り」のアイコンデータ情報が付与された表示コンテンツを表示する場合は、多色表示部２ａはアイコン駆動回路４により発光駆動され、８×８ドットのカラー表示マトリクス上にアイコンデータ記憶部６ｄから読み出したアイコンデータを発光表示する。このとき、単色駆動回路３による単色駆動の対象は表示部の２〜４段目を構成する単色表示部２ｂとなる。すなわち表示画面の一段目にアイコンがカラー表示され、２〜４段目の多色表示部に形成される縦４８×横１６ドットの単色表示マトリクス上に表示コンテンツが表示される。このとき表示画面に同時に表示できる文字数は３文字となる。
【００１７】
次に本発明実施例に関わる表示処理動作の要部について図３のフローチャートを基に説明する。まず、リアルタイムクロックＩＣから得られる時刻・年・日付・曜日に関する情報と、データ記憶部６ｅに記憶した表示スケジュールデータとに基づいて、表示タイミングに該当する表示コンテンツを表示コンテンツデータ記憶部６ｃから読み込む（Ｓ１）。次に、読み込んだ表示コンテンツデータのアイコンデータ情報を参照し、アイコン表示の有無について判断する（Ｓ２）。アイコン表示を行わない表示コンテンツであれば、表示コンテンツが表すキャラクタの配列やドットパターンをビット情報としてＶＲＡＭに展開する（Ｓ３）。ＶＲＡＭ内部の展開領域は表示画面と同サイズであり、縦６４×横１６ドットに相当する６４×１６ビットの領域にアイコンデータを含まないビット情報を展開し、表示信号として単色駆動回路へ出力することにより表示画面全体に表示コンテンツを単色で発光表示する（Ｓ４）。
【００１８】
アイコン表示を行う表示コンテンツであれば（Ｓ２）、アイコンデータ情報に含まれているアイコン識別コードに対応するドットパターンをアイコンデータ記憶部６ｄから読み出してＶＲＡＭへ展開する（Ｓ５）。アイコンデータのドットパターンを表すビット情報は、ＶＲＡＭに確保された６４×１６ビットの展開領域の内の先頭の１６×１６ビットに緑色ＬＥＤと青色ＬＥＤに関する情報が収められ、続く１６×１６ビットに橙色ＬＥＤに関する情報が収められる。すなわち、多色表示部２ａに８×８のマトリクスで配列された緑色ＬＥＤ・青色ＬＥＤを点滅させるための情報として、緑・青それぞれ８バイトずつ割り当てており、橙色ＬＥＤについては、アイコン表示を行う際に使用するのは８×８であるが実際に基板上に配列されている状態と同じ１６×１６ビットを割り当てている。このようにして、ＶＲＡＭ内の最初の３２×１６ビットにアイコン表示を行うための３色分のビット情報を展開し、続く領域に表示コンテンツのドットパターンに関するビット情報を展開する（Ｓ６）。次に、展開した情報のうちのアイコン表示用ビット情報をアイコン駆動回路４へ出力し（Ｓ７）、表示コンテンツ用のビット情報を単色駆動回路３へ出力することにより（Ｓ８）、表示画面の一段目にカラーでアイコンが表示され、２〜４段にかけて表示コンテンツが単色で流動表示される。
【００１９】
以上、本発明の一実施例について説明したが、上記実施例に限定されるものではなく、特許請求の範囲を逸脱しない範囲で種種の実施が可能である。例えば、本実施例では縦方向に４文字表示可能な表示部の最上段に位置する１文字分を多色表示部、残る３文字分を単色表示部として構成したが、他の構成として、横方向に６文字表示可能な表示部の左右両端を多色表示部とし、この多色表示部で挟むように４文字分を単色表示部とするような組み合わせも可能である。また、本実施例では多色表示部に形成するカラー表示用のドットを単色表示部より低い配列密度である縦８×横８のマトリクスとしたが、縦１６×横１６など他のマトリクス構成としても良い。
【００２０】
【発明の効果】
以上のように本発明によれば、１つの連続した表示画面の中に多色表示部と単色表示部とを形成し、その多色表示部において、発光色の異なる複数のＬＥＤを発光駆動して得る多色表示と、単色表示部のＬＥＤと同じ発光色のＬＥＤを発光駆動して得る単色表示とを自在に切り替えることができるようにした。多色表示を行う際は表示画面を構成する他の単色表示部から独立して機能し、単色表示を行う際は他の単色表示部と一緒に発光駆動されて表示画面全体に１つの表示コンテンツが表示されるようにした。これにより、表示画面全体に単色でメッセージだけを流動表示したり、あるいは、表示画面の一部分をカラーでアイコン表示するエリアとして設定し、残る部分に単色でメッセージを流動表示するといった使い分けが可能になる。したがって、表示装置を使用する周囲の状況や時間帯に応じて情報伝達効果が高いメッセージのみによる表示を優先したり、宣伝効果が高いアイコン表示を優先するといった使い勝手の良い表示装置を提供することができる。
【図面の簡単な説明】
【図１】本発明実施例に関わる表示装置の構成を示すブロック図である。
【図２】表示画面の構成を示す説明図である。
【図３】表示処理動作の要部を示すフローチャートである。
【符号の説明】
１　表示部
２ａ　多色表示部
２ｂ　単色表示部
２ａ−１，２ｂ−１　橙色ＬＥＤ
２ａ−２　緑色ＬＥＤ
２ａ−３　青色ＬＥＤ
３　単色駆動回路
４　アイコン駆動回路
５　ＣＰＵ
６　記憶部
７　ＶＲＡＭ
【図１】
2004133164.tif 000003
【図２】
2004133164.tif 000004
【図３】
2004133164.tif 000005